(57)【要約】【課題】  効率よいジョブ管理を行う。【解決手段】  画像形成装置を制御する第１形式の命令を解釈して実行可能な第１の実行環境と、前記第１の実行環境の上に実現される、前記画像形成装置の機種とは依存しない形式で定義された第２形式の命令を解釈して実行可能な第２の実行環境を備えた画像形成装置において、画像形成装置に出力されたジョブ情報を前記画像形成装置における第２の実行環境において管理するジョブ管理装置が開示される。【選択図】  図１
2006020208.tif 000002
【特許請求の範囲】
【請求項１】
画像形成装置を制御する第１形式の命令を解釈して実行可能な第１の実行環境と、前記第１の実行環境の上に実現される、前記画像形成装置の機種とは依存しない形式で定義された第２形式の命令を解釈して実行可能な第２の実行環境を備えた画像形成装置において、画像形成装置に出力されたジョブ情報を前記画像形成装置における第２の実行環境において管理するジョブ管理装置であって、
ジョブ履歴を参照する参照手段、参照したジョブ履歴を保持するジョブ履歴保持手段、
参照したジョブ履歴から集計表を更新および保持する集計表保持手段、前記ジョブ履歴の表示を行うジョブ履歴表示手段、前記集計表の表示を行う集計表表示手段、ジョブ履歴保持手段によって保持された情報と集計表保持手段によって保持された情報を独立して管理することを特徴とするジョブ管理装置。
【請求項２】
集計表を表示する際に、ジョブの種別、カラーモードの種別をユーザが指定可能にすることを特徴とする請求項１記載のジョブ管理装置。
【請求項３】
ユーザが、ジョブ履歴削除を指示する手段、集計表削除を指示する手段を設けることを特徴とする請求項１記載のジョブ管理装置。
【請求項４】
画像形成装置を制御する第１形式の命令を解釈して実行可能な第１の実行環境と、前記第１の実行環境の上に実現される、前記画像形成方法の機種とは依存しない形式で定義された第２形式の命令を解釈して実行可能な第２の実行環境を備えた画像形成装置において、画像形成装置に出力されたジョブ情報を前記画像形成方法における第２の実行環境において管理するジョブ管理方法であって、
ジョブ履歴を参照する参照工程、参照したジョブ履歴を保持するジョブ履歴保持工程、
参照したジョブ履歴から集計表を更新および保持する集計表保持工程、前記ジョブ履歴の表示を行うジョブ履歴表示工程、前記集計表の表示を行う集計表表示工程、ジョブ履歴保持工程によって保持された情報と集計表保持工程によって保持された情報を独立して管理することを特徴とするジョブ管理方法。
【請求項５】
集計表を表示する際に、ジョブの種別、カラーモードの種別をユーザが指定可能にすることを特徴とする請求項４記載のジョブ管理方法。
【請求項６】
ユーザが、ジョブ履歴削除を指示する工程、集計表削除を指示する工程を設けることを特徴とする請求項４記載のジョブ管理方法。
【請求項７】
画像形成装置を制御する第１形式の命令を解釈して実行可能な第１の実行環境と、前記第１の実行環境の上に実現される、前記画像形成方法の機種とは依存しない形式で定義された第２形式の命令を解釈して実行可能な第２の実行環境を備えた画像形成装置において、画像形成装置に出力されたジョブ情報を前記画像形成方法における第２の実行環境において管理するジョブ管理プログラムであって、
ジョブ履歴を参照する参照手順、参照したジョブ履歴を保持するジョブ履歴保持手順、
参照したジョブ履歴から集計表を更新および保持する集計表保持手順、前記ジョブ履歴の表示を行うジョブ履歴表示手順、前記集計表の表示を行う集計表表示手順、ジョブ履歴保持手順によって保持された情報と集計表保持手順によって保持された情報を独立して管理することを特徴とするジョブ管理プログラム。
【請求項８】
集計表を表示する際に、ジョブの種別、カラーモードの種別をユーザが指定可能にすることを特徴とする請求項７記載のジョブ管理プログラム。
【請求項９】
ユーザが、ジョブ履歴削除を指示する手順、集計表削除を指示する手順を設けることを特徴とする請求項７記載のジョブ管理プログラム。
【発明の詳細な説明】
【技術分野】
【０００１】
本発明は、プリンタ、スキャナ、ファクシミリ、複写機等、およびこれらの複合機の機能を有する画像形成装置、制御方法、制御プログラムおよびジョブ管理装置、ジョブ処理方法、ジョブ管理プログラムに関するものである。
【背景技術】
【０００２】
従来から、ユーザが、プリンタ（印刷装置）、スキャナ、複写機、または、それらを統合したマルチファンクション機器（ＭＦＰ）などの周辺機器をネットワークを介して使用する際に、ジョブの管理を行なうジョブ管理装置が知られている。このような情報処理装置の中には、終夜運転されるサーバＰＣを介して、機器に格納されるジョブ履歴を参照して、それを永続的に保持し、ユーザからの要求によって、ユーザごとの詳細な使用量を示す集計表を作成したり、または、ジョブごとの詳細情報を示すジョブ履歴表を提供したりするものがある。あるいは周辺機器上にそのＯＳ上で動作するアプリケーションを構築して同等の機能を提供するものがある。
【０００３】
一方、プリンタ、スキャナ、ファクシミリ、複写機等、およびこれらの複合機能を有する画像形成装置において、システム組み込み向けのＯＳ上にさらに別の組み込みシステム向けの実行環境を構築し、アプリケーションモジュールをダウンロードして搭載することが試みられつつある。
【発明の開示】
【発明が解決しようとする課題】
【０００４】
しかしながら、上記従来技術により、複合機能を有する画像形成装置上に構築された実行環境において、上述の集計表参照およびジョブ履歴などのジョブ管理方法を実現する場合は、過去のジョブ履歴を消してしまうと集計表およびジョブ履歴表を参照できない、という問題があった。また、ジョブ履歴を収集および保持するため３６５日２４時間動作し続けるサーバを動作させる必要があった。通常、サーバの運用には、ＰＣやネットワークの維持など高いコストを要する。あるいは機能の実装を周辺機器上で行った場合には、他の周辺機器で同じ機能を提供するためには膨大な移植作業が必要となる問題があった。
【０００５】
本発明は、上記従来技術の課題を解決するためになされたもので、その目的とするところは、画像処理装置の制御とは別の実行環境にジョブ管理モジュールをダウンロードして実行することが可能である画像処理装置を用いて、ジョブ履歴の参照、保持、集計表の作成を行うことにより、ジョブ情報の集計を行うサーバ、あるいは該周辺機器専用のアプリケーションを用意しなくても、集計表、およびジョブ履歴表を備えるジョブ管理方法を提供することにある。
【課題を解決するための手段】
【０００６】
上記目的を達成するため、本発明に係る装置は、以下の手段を提供する。
【０００７】
第１の発明は、画像形成装置を制御する第１形式の命令を解釈して実行可能な第１の実行環境と、前記第１の実行環境の上に実現される、前記画像形成装置の機種とは依存しない形式で定義された第２形式の命令を解釈して実行可能な第２の実行環境を備えた画像形成装置において、画像形成装置に出力されたジョブ情報を前記画像形成装置における第２の実行環境において管理するジョブ管理装置であって、ジョブ履歴を参照する参照手段、参照したジョブ履歴を保持するジョブ履歴保持手段、参照したジョブ履歴から集計表を更新および保持する集計表保持手段、前記ジョブ履歴の表示を行うジョブ履歴表示手段、前記集計表の表示を行う集計表表示手段、ジョブ履歴保持手段によって保持された情報と集計表保持手段によって保持された情報を独立して管理することを特徴とする。
【０００８】
第２の発明は、集計表を表示する際に、ジョブの種別、カラーモードの種別をユーザが指定可能にすることを特徴とする。
【０００９】
第３の発明は、ユーザが、ジョブ履歴削除を指示する手段、集計表削除を指示する手段を設けることを特徴とする。
【００１０】
第４の発明は、画像形成装置を制御する第１形式の命令を解釈して実行可能な第１の実行環境と、前記第１の実行環境の上に実現される、前記画像形成方法の機種とは依存しない形式で定義された第２形式の命令を解釈して実行可能な第２の実行環境を備えた画像形成装置において、画像形成装置に出力されたジョブ情報を前記画像形成方法における第２の実行環境において管理するジョブ管理方法であって、ジョブ履歴を参照する参照工程、参照したジョブ履歴を保持するジョブ履歴保持工程、参照したジョブ履歴から集計表を更新および保持する集計表保持工程、前記ジョブ履歴の表示を行うジョブ履歴表示工程、前記集計表の表示を行う集計表表示工程、ジョブ履歴保持工程によって保持された情報と集計表保持工程によって保持された情報を独立して管理することを特徴とする。
【００１１】
第５の発明は、集計表を表示する際に、ジョブの種別、カラーモードの種別をユーザが指定可能にすることを特徴とする。
【００１２】
第６の発明は、ユーザが、ジョブ履歴削除を指示する工程、集計表削除を指示する工程を設けることを特徴とする。
【００１３】
第７の発明は、画像形成装置を制御する第１形式の命令を解釈して実行可能な第１の実行環境と、前記第１の実行環境の上に実現される、前記画像形成方法の機種とは依存しない形式で定義された第２形式の命令を解釈して実行可能な第２の実行環境を備えた画像形成装置において、画像形成装置に出力されたジョブ情報を前記画像形成方法における第２の実行環境において管理するジョブ管理プログラムであって、ジョブ履歴を参照する参照手順、参照したジョブ履歴を保持するジョブ履歴保持手順、参照したジョブ履歴から集計表を更新および保持する集計表保持手順、前記ジョブ履歴の表示を行うジョブ履歴表示手順、前記集計表の表示を行う集計表表示手順、ジョブ履歴保持手順によって保持された情報と集計表保持手順によって保持された情報を独立して管理することを特徴とする。
【００１４】
第８の発明は、集計表を表示する際に、ジョブの種別、カラーモードの種別をユーザが指定可能にすることを特徴とする。
【００１５】
第９の発明は、ユーザが、ジョブ履歴削除を指示する手順、集計表削除を指示する手順を設けることを特徴とする。
【発明の効果】
【００１６】
本発明によれば、最小の機器資源でジョブ管理を実現すること、ジョブ管理におけるユーザの利便性を向上させること、またそれを実現するアプリケーションを移植の手間無く様々な機種で動作させることが可能になる。
【発明を実施するための最良の形態】
【００１７】
以下に、図面を参照して、本発明の実施形態の好適な一例を説明する。
【００１８】
図１は複写機、他の画像形成装置、及び、コンピュータを含むシステムブロック図である。本発明の画像形成装置（画像処理装置）の好適な一例である複写機等、情報処理装置（コンピュータ）、および周辺機器との関係を示す。画像形成装置１００、２００は、リーダ部１と、プリンタ部２と、コントローラ部３、またその中に、モデム通信部４、ネットワーク処理部７、ＰＤＬ展開部８、コア部１０を有する。コンピュータは、ワークステーション、又は、標準的なＰＣを用いることができる。
【００１９】
リーダ部１は、画像形成装置にセットされた原稿の画像を読み取り、原稿画像に応じた画像データを、コア部１０を通じて、プリンタ部２へ出力する。プリンタ部２は、リーダ部１からの画像データに応じた画像を記録紙上に記録する。
【００２０】
コンピュータ１１、１２は、情報処理装置の一例であり、パーソナルコンピュータまたはワークステーション（ＰＣ／ＷＳ）である。また、コンピュータ１１、１２からは、ＰＤＬプリントデータを、ネットワーク４、ネットワーク処理部７を通じて、コア部１０に流し、ＰＤＬ展開部８でＰＤＬデータをプリンタ部２で記録できる画像データに展開し、コア部１０を通じて、プリンタ部２でプリントする。
【００２１】
１４はファックス装置であり、例えばリーダ部１で読み取った原稿画像を、コア部１０、モデム通信部４を経由し、公衆回線網１５を通じてファックス送信する。あるいは、他のファックス装置１２からの画像データを、公衆回線網１５、モデム通信部４、コア部１０を通じて受信し、プリンタ部２（プリンタエンジン部２）で受信画像をプリントする。
【００２２】
また、本発明の情報処理装置の記憶手段の一例としては、コンピュータ１１、１２内のハードディスク３０、３６である。３５、３７は、コンピュータ１１、１２の表示装置であり、例えば、ＬＣＤディスプレイである。３１、３８は、コンピュータ１１の入力装置であり、キーボードである。なお、図１に示す構成は一例であり、図示の構成に限定されるものではない。
【００２３】
図２は本発明に係る画像形成装置に好適な複写機本体１００、２００の一例を示す断面図である。なお、画像形成装置の一例としては、プリンタ、スキャナ、Ｆａｘがあり、画像形成装置を制御する一例としては、複写機が有するＨＤＤ内の所定の記憶領域をボックスとして設け、当該ボックス内の画像データを操作することも考え得る。本発明に係る画像形成装置は、画像形成装置本体（複写装置本体）１００、デッキ１５０、循環式自動原稿送り装置（ＲＤＦ）１８０から大略構成されている。
【００２４】
画像形成装置本体１００は、プラテンガラス１０１、スキャナ１０２、走査ミラー１０５、１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、露光制御部１２０、現像器１２１、転写ベルト１３０、上段カセット１３１、下段カセット１３２、ピックアップローラ１３３、１３４、給紙ローラ１３５、１３６、レジストローラ１３７、吸着帯電器１３８、転写ベルトローラ１７０、定着前帯電器１３９、１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３を備えている。上記構成を詳述すると、上記図１におけるリーダ部１は、図２のプラテンガラス１０１〜ＣＣＤセンサ１０９に対応し、上記図１におけるプリンタ部２は、図２の感光体ドラム１１０〜反転ローラ１６３に対応する。
【００２５】
まず、リーダ部１について、詳述する。プラテンガラス１０１は、原稿載置台である。スキャナ１０２は、原稿照明ランプ１０３、走査ミラー１０４等で構成される。スキャナ１０２は、不図示のモータにより所定方向に往復走査されることにより、原稿の反射光１０７を、走査ミラー１０４〜１０６を介してレンズ１０８を透過させてＣＣＤセンサ１０９に結像する。ＣＣＤセンサ１０９で、電気信号に変換され、ＣＣＤセンサ１０９付近の、図示しないスキャナ画像処理部によって、Ａ／Ｄ変換、シェーディング補整が行われ、後述するコア部１０(図７)におけるメモリ７０４に、デジタル画像データとして蓄積される。
【００２６】
次にプリンタ部２について詳述する。露光制御部１２０は、レーザ、ポリゴンスキャナ等で構成されており、上記コア部１０のメモリ７０４に蓄積されたデジタル出画像データをメモリから読み出し、後述するコア部１０(図７)において、デジタル画像データからビデオ信号に変換し、Ｉ／Ｆ７０８を通じてプリンタ部に送る。そして、そのビデオ信号に基づいて変調されたレーザ光１２９を、感光体ドラム１１０に照射する。感光体ドラム１１０の回りには、１次帯電器１１２、現像器１２１、転写帯電器１１８、クリーニング装置１１６、前露光ランプ１１４が装備されている。感光体ドラム１１０を中心とした画像形成部１２６において、感光体ドラム１１０は、不図示のモータにより図中矢印方向に回転しており、１次帯電器１１２により所望の電位に帯電された後、露光制御部１２０からのレーザ光１２９が照射され、静電潜像が形成される。
【００２７】
一方、上段カセット１３１或いは下段カセット１３２からピックアップローラ１３３、１３４により給紙された転写紙は、給紙ローラ１３５、１３６により本体に送られ、レジストローラ１３７により転写ベルトに給送され、可視化されたトナー像が転写帯電器１１８により転写紙に転写される。転写後の感光体ドラム１１０は、クリーニング装置１１６により残留トナーが清掃され、前露光ランプ１１４により残留電荷が消去される。転写後の転写紙は、転写ベルト１３０から分離され、定着前帯電器１３９、１４０によりトナーが再帯電され、定着器１４１に送られ加圧、加熱により定着され、排紙ローラ１４２により本体１００の外に排出される。
【００２８】
吸着帯電器１３８は、レジストローラ１３７から送られた転写紙を転写ベルト１３０に吸着させる。転写ベルトローラ１７０は、転写ベルト１３０の回転に用いられると同時に、吸着帯電器１３８と対になって、転写ベルト１３０に転写紙を吸着帯電させる。
【００２９】
画像形成装置本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、画像形成装置本体１００には、例えば１００枚の転写紙を収容し得るマルチ手差し１５３が装備されている。
【００３０】
排紙フラッパ１５４は、両面記録側ないし多重記録側と排紙側の経路を切り替える。排紙ローラ１４２から送り出された転写紙は、この排紙フラッパ１５４により両面記録側ないし多重記録側に切り替えられる。多重フラッパ１５７は、両面記録と多重記録の経路を切り替えるものであり、これを左方向に倒すことにより、反転パス１５５を介さず、直接、搬送パス１５８に転写紙を導く。給紙ローラ１５９は、経路１６０を通じて転写紙を感光体ドラム１１０側に給紙する。
【００３１】
排出ローラ１６１は、排紙フラッパ１５４の近傍に配置されて、この排紙フラッパ１５４により排出側に切り替えられた転写紙を機外に排出する。両面記録（両面複写）時には、排紙フラッパ１５４を上方に上げて、多重フラッパ１５７を右に倒し、記録（複写）済みの転写紙を反転パス１５５で介した後、多重フラッパ１５７を左に倒し、搬送パス１５８を介して裏返した状態で再給紙トレイ１５６に格納する。また、多重記録（多重複写）時には、排紙フラッパ１５４を上方に上げて、多重フラッパ１５７を左に倒し、記録（複写）済みの転写紙を搬送パス１５８で介した後、再給紙トレイ１５６に格納する。再給紙トレイ１５６に格納されている転写紙が、下から１枚ずつ給紙ローラ１５９により経路１６０を介して本体のレジストローラ１３７に導かれる。
【００３２】
本体から転写紙を反転して排出する時には、排紙フラッパ１５４を上方へ上げ、多重フラッパ１５７を右方向へ倒し、記録（複写）済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して機外へ排出する。また、機外へ排出された転写紙は、フィニッシャ１９０に搬送される。
【００３３】
１９０はフィニッシャであり、画像形成装置１００で印刷された転写紙をスタックするものである。パス１９３は、画像形成装置１００で印刷された転写紙を受け取る経路である。ローラ１９７は、パス１９３から搬送された転写紙を、パス１９５あるいはパス１９６に送り出すものである。パス１９５へ送り出すには、排紙フラッパ１９４を下方に移動し、パス１９６へ送り出すには、排紙フラッパ１９４を上方に移動させる。そして、パス１９６を通った場合は、ローラ１９８によって、ビン１９２に排紙される。パス１９５を取った場合は、そのままビン１９２に排紙される。例えば、コピーを行った場合は、転写紙をビン１９１に
排紙し、ＰＤＬプリントを行った場合は、ビン１９２に排紙することで、ユーザの利便性が上がる。
【００３４】
図７は本発明に係る画像形成装置のコア部１０の構成を示すブロック図である。コア部１０は、インタフェース部７０１、７０６、７０７、７０８、データ処理部７０２、７０５、ＣＰＵ７０３（各制御手段）、メモリ７０４（記憶手段）を備えている。
【００３５】
上記構成を詳述すると、リーダ部１からの画像データは、Ｉ／Ｆ７０６を介してデータ処理部７０２へ転送される。データ処理部７０２では、画像の回転処理や変倍処理などの画像処理を行う。また、そして、データ処理部７０２へ転送された画像データは、ＣＰＵ７０３を通じて、メモリ７０４にデジタル画像データとして蓄積される。また、本発明の表示部の好適な一例である操作部５００からの制御コマンドに応じて、ＣＰＵ７０３、データ処理部７０５、Ｉ／Ｆ７０８を通じて、プリンタ部２へ転送される。または、インタフェース部７０１を介してモデム処理部４、ネットワーク処理部７へ転送される。操作部５００は、例えば、液晶パネルを用いて構成され、該液晶パネルは、タッチパッドの機能となっており、指が触れることにより、所定の命令又は設定に対応付けられたキー選択を可能とするものである。
【００３６】
また、ネットワーク処理部７を介して入力された画像を表すコードデータは、７０１を介して、ＣＰＵ７０３へ転送され、ＣＰＵが、ＰＤＬコードであると判定した場合、ＰＤＬコードを、Ｉ／Ｆ７０１を通じて、ＰＤＬ展開部９へ転送されて、そこで、画像ビットマップデータに展開される。この画像ビットマップデータは、Ｉ／Ｆ７０１、ＣＰＵ７０３を通じて、メモリ７０４へ蓄積されていく。その後、ＣＰＵ７０３、データ処理部７０５、Ｉ／Ｆ７０８を通じて、プリンタ部２へ転送され、プリントする。
【００３７】
モデム処理部４からのファックス画像データは、Ｉ／Ｆ７０１、ＣＰＵ７０３を介して、データ処理部７０５へ転送された後、Ｉ／Ｆ７０８を介して、プリンタへ転送される。
【００３８】
ＣＰＵ７０３は、メモリ７０４に記憶されている制御プログラム、及び、Ｉ／Ｆ７０７経由で操作部５００から受けた制御コマンドに従って、上記のような制御を行う。また、メモリ７０４はＣＰＵ７０３の作業領域としても使われる。このように、本画像形成装置では、画像入出力制御部３のコア部１０を中心に、原稿画像の読み取り、画像のプリント、画像の送受信、画像の保存、コンピュータからのデータの入出力などの機能を複合させた処理を行うことが可能である。本発明の入力手段の好適な一例であるインタフェース部（Ｉ／Ｆ部）７０１は、外部ネットワーク上のサーバや他の画像形成装置から、様々なアプリケーションや制御プログラムをダウンロードし、メモリ７０４に記憶することが出来る。また、他の入力手段の好適な一例としては、不図示の着脱可能なメモリスロットが考えられる。ネットワークだけからではなく、該メモリスロットに接続されたフレキシブルディスクやＩＣカード、ＤＶＤやＣＤ−ＲＯＭなどの可搬記憶媒体からもプログラムをダウンロードして、メモリ７０４に格納することが出来る。
【００３９】
図３は本発明の画像形成装置の一例である複合機１００のコア部１０に記憶されたソフトウェア構造図３００である。
【００４０】
３０１は画像形成装置全体を制御する本発明の第１の実行環境の一例であり、一般的には複写機の各種機能をリアルタイムに制御可能なリアルタイムＯＳの各モジュール、或いは、ＣＰＵに、命令してクリティカルに複写機のオプション装置、拡張カードを含む各機能を制御することが可能なライブラリ群である。そして、その上位で動作するアプリケーションに対して、インタフェース・コマンドを提供するモジュール群により実現されるものである。３０２は第１の実行環境３０１上で動作するコントローラ制御部であり、リーダ部１、プリンタ部２、モデム通信部４、ＰＤＬ展開部８など制御するモジュールにより構成されるものとする。
【００４１】
３０３はアプリケーション・プログラミング・インタフェース（以下ＡＰＩ）であり、アプリケーションからの命令の入力の命令列に応答して、このインタフェースでコントローラ制御部３０２にアクセスするための処理とネットワーク処理部７及びネットワーク４を介して複合機２００等に制御コマンドを送る機能を有するものである。３０４は第１の実行環境３０１上で動作するアプリケーションであり、ＡＰＩ３０３を使用しコントローラ制御部３０２に各種処理を依頼するものである。また、ネットワーク処理部７を介してネットワーク４上のコンピュータ（情報処理装置）１１、１２、２０と通信することも可能である。
【００４２】
３０５は特定のアプリケーションを実行するために最適な第２の実行環境であり、例えば、Ｊａｖａ（登録商標）の仮想マシンなどにより実現されるものである。３０６は本発明の第２の実行環境３０５上のアプリケーションが第１の実行環境であるリアルタイムＯＳ３０１上で動作するコントローラ制御部３０２にアクセスするためのＡＰＩであり、本実施例においてはＡＰＩ３０３を呼び出すための変換モジュールの機能とネットワーク処理部７及びネットワーク４を介して画像形成装置２００等に制御コマンドを送る機能を有するものである。
【００４３】
３０７は第２の実行環境３０５上のアプリケーションを統括的に制御する機能を有するフレームワークモジュールである。３０８は本発明の第２の実行環境３０５上の他のアプリケーションを管理するためのアプリケーションであり、フレームワーク３０７と協調し、後述のアプリケーション３０９，３１０のダウンロード、アップロード、消去、無効化を行うものである。
【００４４】
３０９、３１０は第２の実行環境３０５上で動作するアプリケーションであり、ＡＰＩ３０６を使用しコントローラ制御部３０２に各種処理を依頼するものである。また、ネットワーク処理部７を介してネットワーク４上の情報処理装置１１，１２，２０と通信することも可能である。
【００４５】
３１１は本発明の第２の実行環境３０５が使用する資源を管理するリソース管理部であり、第１の実行環境を実現するリアルタイムＯＳ３０１上で動作する。リソース管理部３１１は、第２の実行環境を実現する仮想マシン３０５自身、ＡＰＩ３０６、フレームワーク３０７、或いはＯＳ３０５上の全アプリケーションがメモリ等のリソース資源を使用する際、予め決められた以上の資源が使用できないように制限するものである。
【００４６】
まず、ＡＰＩ３０３について説明する。ＡＰＩ３０３は、第１の実行環境であるリアルタイムＯＳ３０１によって制御されるコントローラ制御部３０２にアクセスするための複数の制御コマンドにそれぞれ対応したリアルタイムＯＳ３０１上のインタフェースの集合である。この制御コマンドに対応した個々のインタフェースでは、制御コマンドを実行する対象の機器を指定するパラメータを持ち、かつ指定の対象として同一機器内のコントローラ制御部３０２、さらに、ネットワーク４で接続された画像形成装置２００のコントローラ制御部３０２を指定可能である。
【００４７】
図４は、ＡＰＩ３０３のインタフェースの呼び出しの動作を示す図である。ＡＰＩ３０３としては、例えば、従来、画像形成装置にリアルタイムＯＳを単独で載せている場合には、当該リアルタイムＯＳ上で、画像形成装置の動作をきめ細かく制御可能な印刷プロトコルに従ったインタフェース群なども考えられる。ここでは、ＡＰＩ３０３は、ネットワークプリンティングプロトコルを実現するためのライブラリ群である。
【００４８】
本実施形態では制御コマンドＡに対応するインタフェースＡが呼び出されたものとする。ここでは、コマンドとインタフェースは一対一対応して呼び出し可能なものと考えているが、シンプルなコマンドを複数組み合わせて一つの新しいコマンドとみなし、これをインタフェースＡと対応させてもよい。制御アプリケーション３０４が、ＡＰＩ３０３のインタフェースＡを呼び出す（４０１）。インタフェースＡには、処理の対象となる画像形成装置を表す識別子が付加できる。ＡＰＩ３０３は、インタフェースＡに付加された識別子を解釈し、識別子が示す機器が、ＡＰＩ３０３が備えられた画像形成装置自身であると判断した場合は、４０２でコントローラ制御部３０２に対し、コマンドＡを実行して対応する処理を行う。ＡＰＩ３０３は、コマンドの制御対象が機器外（画像形成装置２００）と同様の識別情報を用いて判断すれば、４０３でネットワーク処理部７を介してネットワーク４の当該コマンドに対応したパケット形式のデータを送出する。
画像形成装置２００のネットワーク処理部７（取得手段）は、前記パケット形式のデータから、コマンドを取得し、４０４で通信アプリケーション３０４に当該コマンドＡのデータを渡す。通信アプリケーション３０４は、コマンドＡに対応するインタフェースＡを認識し、４０５で機器内のコントローラ制御部３０２を対象としたＡＰＩ３０３のインタフェースＡを呼び出す。
【００４９】
このとき、４０１で呼び出されたインタフェースＡと４０５で呼び出されたインタフェースＡは同一のものとすることができる。ＡＰＩ３０３は、コマンドの対象が機器内であるので、４０６でコントローラ制御部３０２に対し当該コマンドＡに対応した処理を行う。このとき４０２のコマンドに対応した処理と４０６のコマンドに対応した処理は同一のものである。
【００５０】
図５は、ＡＰＩ３０６の動作を示すブロック図である。本実施例では最終的に画像形成装置に命令を行うコマンドＡに対応するインタフェースとして、インタフェースＡが呼び出されたものとする。５０１は制御アプリケーション２（３０４）が、ＡＰＩ３０６のインタフェースＡを呼び出すことを示す。図４と異なる部分を詳述する。
【００５１】
ＡＰＩ３０６に含まれる各インタフェースは、本発明の第２形式の命令の、好適な一例である。また、ＡＰＩ３０３に含まれる各インタフェースは、本発明の第１形式の命令の、好適な一例である。
【００５２】
まず、ＡＰＩ３０６について詳述する。ＡＰＩ３０６は、第２の実行環境３０５上のインタフェースの集合であり、ＡＰＩ３０３が提供するインタフェースを呼び出し可能なインタフェースを含む。また、ＡＰＩ３０６の各コマンドに対応した個々のインタフェースでは、ＡＰＩ３０３と同様に制御コマンドを実行する対象を指定するパラメータを持ち、かつ指定の対象として同一機器内のコントローラ制御部３０２、およびネットワーク４で接続された画像形成装置２００のコントローラ制御部３０２が指定可能である。
【００５３】
ここでは、第１の実行環境に変換して実行する必要があるインタフェースＡが呼び出された場合を考える。まず、呼び出されたインタフェースＡが起動する処理の対象が機器内であれば、ＡＰＩ３０６のインタフェースを呼び出す。ＡＰＩ３０６のインタフェースが呼び出されるのに応答して、リアルタイムＯＳ３０１が解釈可能な、ＡＰＩ３０３のインタフェースが起動され、呼び出される。そして、呼び出されると、ＡＰＩのインタフェースは、コマンドＡに対応する処理を起動する（５０２）。ＡＰＩ３０３はコントローラ制御部３０２に対し、コマンドに対応した処理を行う（５０３）。コマンドの対象が機器外（例えば、画像形成装置２００）であれば、ネットワーク処理部７を介してネットワーク４の当該コマンドに対応したパケットを送出する（５０４）。画像形成装置２００のネットワーク処理部７は、送信された前述のパケットを受信し、５０５で通信アプリケーション３０４に当該コマンドＡに対応するパケットデータを渡す。通信アプリケーション３０４は、５０６で機器内のコントローラ制御部３０２を対象としたＡＰＩ３０３のインタフェースＡを呼び出す。このとき、５０２で呼び出されたインタフェースＡと５０６で呼び出されたインタフェースＡは同一である。
【００５４】
このようにして、操作したい機能が、画像形成装置内であるか、他の画像形成装置内であるかの違い、及び、装置のアーキテクチャの違い、及び、ＯＳの差異にそれぞれ依存することが無いインタフェース群であるＡＰＩ３０６を提供することができる。そして、ＡＰＩ３０６を活用することによって、実行環境２のＡＰＩ３０６の体系を学ぶだけで、各種アプリケーションが開発可能となり、さらに、ＡＰＩ３０３をオーバーヘッドが無しに呼び出して活用できる仕組みとなっているので、画像形成装置の様々な機能を、制御するに際し、既に開発資産であるＡＰＩ３０３がある場合には、これを活用できる。
【００５５】
ＡＰＩ３０６は、コマンドの対象が機器内であるので、５０７でコントローラ制御部３０２に対し当該コマンドＡに対応した処理を行う。このとき５０３のコマンドに対応した処理と５０７のコマンドに対応した処理は同一であることは言うまでもない。また、４０４から４０６の処理と５０５から５０７の処理は同一であり、ＡＰＩ３０３を使用した際の動作とＡＰＩ３０６を使用した際の動作は同一であることもいうまでもない。
【００５６】
図１０は、仮想マシン３０５におけるインタフェース呼び出し処理の一例を示す図である。まず、第２の実行環境である仮想マシン３０６上で、装置外部からの入力又は、操作部からの指示などにより、アプリケーションが起動され、あるインタフェースが呼び出された場合に、図１８の処理が始まる。Ｓ１８０１で、仮想マシン３０５に呼び出されたインタフェースを読み込んで認識する。そして、Ｓ１８０２で、仮想マシン３０５は、認識したインタフェースが、第２の実行環境で解釈可能な第２形式の所定の命令の好適な一例である、ネイティブメソッドであるか否かを判断する。ネイティブメソッドとは、本発明の第一形式の命令を呼び出すものであり、第１の実行環境の一例であるリアルタイムＯＳ３０１で解釈実行可能なメソッドである。そして、仮想マシン３０５が、が呼び出されたインタフェースがネイティブメソッドではないと判断した場合には、通常メソッドを読み込んだと判断し、通常メソッドを起動して呼び出す。そして、通常メソッドは所定のアプリケーション処理を行い（Ｓ１８０４）、通常メソッドの終了処理を行って（Ｓ１８０５）、処理を終了する。Ｓ１８０２で、Ｓ１８０１で仮想マシン３０５が認識した命令がネイティブメソッドであると判断した場合には、Ｓ１８０６に進み、仮想マシン３０５は、ネイティブメソッド起動処理を行って（Ｓ１８０６）、第１形式の命令列の好適な一例であるエンジン制御プログラムを呼び出す（起動して実行する）。ここで、エンジン部を制御可能なエンジン制御プログラムを呼び出すと述べたが、これは、図５のＡＰＩ３０３に含まれるインタフェースを介してプリンタ制御コマンドを呼び出すことを意味し、図５の５０３の部分に該当する。そして、Ｓ１８０８でプリンタを制御する処理を行い、Ｓ１８０９でネイティブメソッド終了処理を行い、図１８の処理は終了する。
【００５７】
ここでは、エンジン部を制御すると述べたが、第１の実行環境で実行される制御プログラムには、エンジン部を制御する各種コントローラをはじめ、ビデオコントローラ部、ＤＣコントローラ部、ネットワークボードが備えられている場合は、ネットワークボード部、また、画像形成装置内のＨＤＤ内の、メモリの記憶内容制御する制御命令を含む。
【００５８】
通常メソッド処理を呼び出すアプリケーションとしては、例えば、クリティカルな応答が必要ではないプログラム、例えば、複写機やプリンタの操作パネルのグラフィカルユーザインタフェースをソフトウェアで実現するためのアプリケーションモジュールが考えられる。ネイティブメソッドを呼び出す場合としては、アプリケーションから、複写機やプリンタ等のエンジン制御部（エンジン部）を制御するクリティカルな応答が求められる処理を例えば、Ｊａｖａ（登録商標）のネイティブメソッドインタフェースを介してプリンタエンジン制御プログラム呼び出す場合が考えられる。
【００５９】
図６は本発明に係る画像形成装置の操作部５００（図１参照）の表示部に表示される画面を示す説明図であり、本発明の第１の実行環境の一例であるリアルタイムＯＳ３０１上で実行されるアプリケーションを選択、実行するためのものである。尚、この画面はタッチパネルとなっており、それぞれ表示される機能の枠内を触れることにより、その機能が実行される。
【００６０】
コピーモードキー６２３は、複写動作を行う場合に押すキーである。そして、このコピーモードキー６２３が押されたときに、図６の６３０に示すコピーモードの画面を表示する。拡張機能キー６０１は、このキーを押すことによって両面複写、多重複写、移動、綴じ代の設定、枠消しの設定等のモードに入る。
【００６１】
画像モードキー６０２は、複写画像に対して網掛け、影付け、トリミング、マスキングを行うための設定モードに入る。
【００６２】
ユーザモードキー６０３は、モードメモリの登録、標準モード画面の設定が行える。
【００６３】
応用ズームキー６０４は、原稿のＸ方向、Ｙ方向を独立に変倍するモード、原稿サイズと複写サイズから変倍率を計算するズームプログラムのモードに入る。Ｍ１キー６０５、Ｍ２キー６０６、Ｍ３キー６０７は、それぞれに登録されたモードメモリを呼び出す際に押すキーである。オプションキー６０９は、フィルムから直接複写するため、フィルムプロジェクタ等のオプション機能の設定を行うキーである。
【００６４】
ソータキー６１０は、ソート、ノンソート、グループの設定を行うキーである。原稿混載キー６１１は、原稿フィーダにＡ４サイズとＡ３サイズ、またはＢ５サイズとＢ４サイズの原稿を一緒にセットする際に押すキーである。等倍キー６１２は、複写倍率を１００％にする際に押すキーである。用紙選択キー６１３は、複写用紙の選択を行う際に押すキーである。縮小キー６１４、拡大キー６１５は、定型の縮小、拡大を行う際に押すキーである。濃度キー６１８、６２０は、キー６１８を押す毎に濃く複写され、キー６２０を押す毎に薄く複写される。濃度表示６１７は、濃度キー５１８、５２０を押すと表示が左右に変化する。ＡＥキー６１９は、新聞のように地肌の濃い原稿を自動濃度調整複写するときに押すキーである。
【００６５】
ＨｉＦｉキー６２１は、写真原稿のように中間調の濃度が濃い原稿の複写の際に押すキーである。文字強調キー６２２は、文字原稿の複写で文字を際だたせたい場合に押すキーである。送信モードキー６２４は、ファックス送信等を行うときに押すキーである。ボックスモードキー６２５は、ボックスに格納されたデータを操作するときに押すキーである。上記のコピーモードキー６２３、送信モードキー６２４、ボックスモードキー６２５は、それぞれＯＳ３０１上で実行されるアプリケーション３０４を選択する操作に該当する。
【００６６】
拡張モードモードキー６２６は、本発明のモードキーであり、本発明の第２の実行環境３０５上で実行されるアプリケーションを選択、実行するための画面（図７）に遷移するものである。本実施例では、他のモードキーの選択と同等に表示しているが、キーの大きさやデザインを変更するなどし、視覚的により認識しやすいように表示してもよい。
【００６７】
６４０はステータスラインであり、機器の状態や印刷情報を示すメッセージを表示する。図の場合、コピー中であることを示している。６５０は履歴キーであり、これを押下することで、印刷済みのジョブの履歴情報を表示する。たとえば、印刷ジョブの、終了時刻、ユーザ名、ファイル名、印刷枚数等の情報を表示する。
【００６８】
コピーモード画面６３０表示時に、図外のＳｔａｒｔキーなどにより複写動作の実行が指示された場合、ＡＰＩ３０３に対し処理の開始や各種パラメータの設定などを行うインタフェースが順次呼び出される（４０１）。通常、複写動作は機器内に対して指示されるためＡＰＩ３０３において、コントローラ制御部３０２にコマンドを伝え（４０２）、結果として複写動作が実行される。
【００６９】
図８は、本発明のアプリケーション管理手段の好適な一例であるアプリケーション管理アプリケーション３０８の操作画面を示す図である。本実施例では、画像形成装置１００にはリムーバブルな記憶媒体に直接接続できないため、情報処理装置１１，１２の記憶装置３０，３６からダウンロード処理を行うものとする。また、本実施例では、画像形成装置１００上の操作部５００から操作するように構成しているが、本アプリケーションをネットワーク上の情報処理装置１１，１２から操作するように構成されてもよい。さらに、本実施例ではＯＳ２上において本発明のアプリケーション管理モジュールが実施された場合に関して解説するが、ＯＳ１上においても適応可能であることは言うまでもない。
【００７０】
８０１は既にダウンロードされているアプリケーションの一覧を表示するものである。８０２はアプリケーションの名称を示す項目である。８０３はアプリケーションの現在のステイタスを示す項目である。起動は、現在実行されていることを示す。
【００７１】
８０４はアプリケーションのバージョンを示す項目である。８０５はアプリケーションをダウンロードした日時を示す項目である。８０６はダウンロードボタンであり、新たにアプリケーションをダウンロードする際に選択する。選択後は後述のダウンロード画面（図９）に遷移する。８０７はアップロードボタンであり、アプリケーションの一覧で所望のアプリケーションを選択し、このボタンを選択することでダウンロードされているアプリケーションを所定の情報処理装置にアップロードする。
【００７２】
８０８は消去ボタンであり、アプリケーションを消去する際に選択するボタンである。アプリケーションの一覧で所望のアプリケーションを選択し、このボタンを選択することで画像形成装置１００からアプリケーションを削除する。８０９は本発明のアプリケーション起動ボタンであり、フレームワーク３０７に対し所定のアプリケーションの起動を指示することにより、停止状態のアプリケーションを起動状態にするものである。
【００７３】
８１０は本発明のアプリケーション停止ボタンであり、ＦｒａｍＷｏｒｋ３０７に対し所定のアプリケーションの停止を指示することにより、起動状態のアプリケーションを停止状態にするものである。
【００７４】
８２０は本発明のアプリケーション管理アプリケーションを選択するモードキーである。
【００７５】
８２１は簡易Ｃｏｐｙモードキーである。８２２はＡｐｐ３モードキーである。８３０はステータスラインであり、機器の状態や印刷情報を示すメッセージを表示する。図の場合、コピー中であることを示している。なお、アプリケーション一覧８０１に表示される内容に関しては、特に本実施例に限定するものではない。また、表示順や表示方法に関しても特に規定するものではない。
【００７６】
図９は、アプリケーション管理アプリケーションの、アプリケーションダウンロード画面を示す図である。本実施例では、画像形成装置１００にはリムーバブルな記憶媒体に直接接続できないため、情報処理装置１１，１２の記憶装置３０，３６にアップロード処理を行うものとする。また、本実施例では、画像形成装置１００上の操作部５００から操作するように構成しているが、本アプリケーションをネットワーク上の情報処理装置１１，１２から操作するように構成されてもよい。
【００７７】
９０１はダウンロードするアプリケーションを指定する入力フィールドである。本実施例では、ネットワーク４で接続される情報処理装置１１から所定のアプリケーションをダウンロードするものとする。９０２は本画面の処理を中断し図８の画面に遷移するボタンである。９０３はダウンロードの開始を指示するボタンでる。
【００７８】
なお、ダウンロードするアプリケーションを指定する方法は、特に本実施例の方法に限定するものではない。ネットワーク４上の情報処理装置１１，１２，２０等を視覚的に並べ、かつ各情報処理装置内の記憶装置３０，３６の内容を視覚的に表示しダウンロードする対象を選択できるように構成されてもよい。
【００７９】
次に、以上の方法で画像形成装置の第２の実行環境において実現されるジョブ管理方法について、説明する。
【００８０】
図１１は、画像形成装置の第２の実行環境において実現されたジョブ管理アプリケーションのジョブ履歴収集方法のフローチャートである。以下、各ステップにおけるジョブ管理アプリケーションの処理を説明する。
【００８１】
図１１のステップＳ１１０１でジョブ管理アプリケーションは、３０６ＡＰＩにジョブ履歴記録イベントの購読を発行する。以降、図２の複写機本体でユーザが指示する複写ジョブ、図１−１１のコンピュータからのネットワークを介した印刷ジョブ、などのジョブの実行が完了すると、図２の複写機内にジョブ履歴が記録される。ジョブ履歴の記録が完了すると３０６ＡＰＩは、ジョブ履歴記録イベントを購読しているアプリケーションにジョブ履歴完了イベントを通知する。
【００８２】
ジョブ履歴の中に記録される内容を図１２に示す。ＪｏｂＩＤとは複写機内で発行されるジョブログを一意に特定するための番号である。ジョブタイプとは、ジョブの種別を示すもので、コピー、ＰＤＬ印刷、受信印刷、などがある。ＰＤＬとはＰａｇｅＤｅｓｃｒｉｐｔｉｏｎＬａｎｇｕａｇｅの略であり、印刷ジョブを記述するものである。ＰＤＬ印刷とはネットワーク上のコンピュータなどから、コンピュータ上のアプリケーションが作成したＰＤＬデータを受信し、印刷するものである。アプリケーション名とは、ジョブを作成したアプリケーションの名前である。
【００８３】
論理ページ数は、アプリケーションで文書を作成しているときに、アプリケーションによって論理的に区切られるページに基づくページ数である。物理ページ数とは、実際の印刷時に物理メディア上に配置されるページ数である。両片とは両面印刷、片面印刷を区別するものである。Ｎ−ＵＰとは１物理ページに配置される論理ページの数である。
【００８４】
データサイズはＰＤＬ印刷時に転送されるジョブデータの大きさを示す。
【００８５】
ドキュメント名はアプリケーションや複写機操作部で指定する文書に付ける名称である。
【００８６】
開始時刻、終了時刻は、複写機上でジョブが開始、終了した時刻である。
【００８７】
用紙サイズは印刷に用いられた用紙のサイズであり、用紙タイプはメディアの種類を示すものである。
【００８８】
オーナ名とはＰＤＬ印刷時にジョブに付加される属性であり、たとえばＯＳにログオンするときの識別名称が与えられる。部門ＩＤとは、複写機のユーザ管理体系に基づく識別番号である。コンピュータ名とはＰＤＬ印刷を実行したコンピュータの名称である。ＩＰアドレスはそのコンピュータのＩＰアドレスである。機番とは複写機を一意に特定するための番号である。カラーモードとは、印刷の色を示すものでたとえば白黒、フルカラーなどがある。
【００８９】
ステップＳ１１０２では、アプリケーションに処理終了命令が発行されているかを判別し、発行されていれば終了し、発行されていなければステップＳ１１０３に進む。
【００９０】
ステップＳ１１０３では、ジョブ履歴完了イベントが着信しているか判別する。着信していなければＳ１１０２に戻り、着信していればＳ１１０４に進む。
【００９１】
ステップＳ１１０４では、ジョブ履歴情報を３０６ＡＰＩを介して取得する。
【００９２】
ステップＳ１１０５では、ジョブ履歴内のキー情報を走査する。未処理のキーが有ればＳ１１０６へ進み、無ければＳ１１０８に進む。ここでキーとは前述したジョブ履歴のオーナ名や部門ＩＤのようなユーザを特定できる情報を指す。
ステップＳ１１０６では、ジョブ履歴からキーを取り出す。図１２のジョブ履歴では、オーナ名、部門ＩＤが順次取り出される。
【００９３】
ステップＳ１１０７では、集計表を更新する。集計表はジョブタイプ、カラーモード、キーごとに作成される。集計開始時の、ジョブタイプ：ＰＤＬ印刷、カラーモード：白黒の表を図１３に示す。ひとつのキーに一行が割り当てられる。出力実績が無いので、合計行だけが存在する。図１３の表は、キー：オーナ名のとき、図２のジョブ履歴を処理するとオーナ名：山田の行が追加され、図１４のようになる。キー：部門ＩＤのとき、2800の行が追加され、図１５のようになる。図１３、１４、１５の表ではカラムがページ数、枚数、両面枚数、用紙サイズＡ３、用紙サイズＡ４、用紙タイプ普通紙、用紙タイプ再生紙しかないが、設定によってカラムは変更できるようにすることは言うまでもない。
【００９４】
ステップＳ１１０８では、ジョブ履歴を永続的に参照できるように３１１リソース管理部に追加記録する。記憶領域を使い果たした場合、古いジョブ履歴から順に削除する。
【００９５】
図１６は本発明のジョブ管理アプリケーションのユーザへのユーザインタフェース画面を示す図である。
【００９６】
１６０１は、集計表を表示したいジョブタイプを選択するドロップダウンリストボックスである。ここでは、コピー、ＰＤＬ印刷、すべて、を選択できるものとする。
【００９７】
１６０２は、集計表を表示したいカラーモードジョブタイプを選択するドロップダウンリストボックスである。ここでは、白黒、フルカラー、すべて、を選択できるものとする。
【００９８】
１６０３は、集計表を表示したい集計キーを選択するドロップダウンリストボックスである。ここでは、部門ＩＤ、オーナ名、を選択できるものとする。
【００９９】
１６０４は、集計表の表示を指示するボタンである。１６０１、１６０２、１６０３のリストボックスの指定に従って、集計表を作成する。ジョブタイプですべてを指定された場合、コピー、ＰＤＬ印刷などすべての集計表を合算した集計表を作成する。カラーモードについては、すべてを指定された場合、白黒、フルカラーを合算することになる。
【０１００】
１６０５は、ジョブ履歴を表示する。３１１リソース管理部に保持されているジョブ履歴を所望の表示形式に変換して一覧で表示する。図１７に例を示す。
【０１０１】
１６０６は、ジョブ履歴の削除を指示するボタンである。このボタンが押されると、３１１リソース管理部に保持されているジョブ履歴を削除する。
【０１０２】
１６０７は、集計表の削除を指示するボタンである。このボタンが押されると、３１１リソース管理部に保持されている集計表を削除する。
【０１０３】
本発明によれば、装置制御を行う実行環境とは異なる第２の実行環境でアプリケーションを実行可能な環境を備えた画像形成装置（複合機）を使用し、さらに、ジョブ履歴を取得し、それを保持しながら集計表を更新し、かつ、ジョブ履歴と集計表をそれぞれ独立して管理することで、使用実績の把握を最小の機器資源の利用で実現することができる。また、ジョブ履歴と集計表を独立して削除することができるため、処理済のジョブ履歴を随時削除することで、目視等でジョブ管理を行う場合の作業効率を向上させることができ、ユーザの利便性が向上する。
【図面の簡単な説明】
【０１０４】
【図１】複写機、他の画像形成装置、及び、コンピュータを含むシステムブロック図である。
【図２】画像形成装置に好適な複写機本体１００，２００の一例を示す断面図である。
【図３】画像形成装置の一例である複合機１００のコア部１０のブロック図である。
【図４】ＡＰＩ３０３のインタフェースを用いたコマンドの呼び出しの動作を示す図である。
【図５】ＡＰＩ３０６の動作を示す図である。
【図６】本実施形態に係る画像形成装置の操作部５００の表示部に表示される画面を示す説明図である。
【図７】画像形成装置のコア部１０の構成を示すブロック図を示す図である。
【図８】アプリケーション管理手段の好適な一例であるアプリケーション管理アプリケーション３０８の操作画面を示す図である。
【図９】アプリケーション管理アプリケーションの、アプリケーションダウンロード画面を示す図である。
【図１０】仮想マシン３０５におけるインタフェース呼び出し処理の一例を示す図である。
【図１１】画像形成装置の第２の実行環境において実行されるジョブ管理アプリケーションが行う処理のフローチャートである。
【図１２】画像形成装置の第２の実行環境において実行されるジョブ管理アプリケーションが収集するジョブ履歴である。
【図１３】画像形成装置の第２の実行環境において実行されるジョブ管理アプリケーションが保持する集計表の一例である。
【図１４】画像形成装置の第２の実行環境において実行されるジョブ管理アプリケーションが保持する集計表の一例である。
【図１５】画像形成装置の第２の実行環境において実行されるジョブ管理アプリケーションが保持する集計表の一例である。
【図１６】画像形成装置の第２の実行環境において実行されるジョブ管理アプリケーションのユーザインタフェースを示すものである。
【図１】
2006020208.tif 000003
【図２】
2006020208.tif 000004
【図３】
2006020208.tif 000005
【図４】
2006020208.tif 000006
【図５】
2006020208.tif 000007
【図６】
2006020208.tif 000008
【図７】
2006020208.tif 000009
【図８】
2006020208.tif 000010
【図９】
2006020208.tif 000011
【図１０】
2006020208.tif 000012
【図１１】
2006020208.tif 000013
【図１２】
2006020208.tif 000014
【図１３】
2006020208.tif 000015
【図１４】
2006020208.tif 000016
【図１５】
2006020208.tif 000017
【図１６】
2006020208.tif 000018